(57)【要約】【課題】乗りかごの複数のかごドアのうち任意のかごドアを乗客が乗りかご内を移動すること無しに開扉させる。【解決手段】正面側かごドアおよび背面側かごドアが完全に閉扉しており、正面側かご操作盤５の戸開釦１３が操作された際に、正面側かご操作盤５の機能切替蓋１５が閉じている場合には正面側かごドアを開扉し、この機能切替蓋１５が開いている場合には背面側かごドアを開扉する。また、正面側かごドアおよび背面側かごドアが完全に閉扉しており、背面側かご操作盤の戸開釦が操作された際に、背面側かご操作盤の機能切替蓋が閉じている場合には背面側かごドアを開扉させ、この背面側かご操作盤の機能切替蓋が開いている場合には正面側かごドアを開扉させる。【選択図】      図２
2008037542.tif 000002
【特許請求の範囲】
【請求項１】
同一階に第１の乗場と第２の乗場がある各階床に応答する乗りかごに設けられて当該乗りかごの着床時に前記第１の乗場に面する第１のかごドアと、
前記乗りかごに設けられて当該乗りかごの着床時に前記第２の乗場に面する第２のかごドアと、
前記第１のかごドアの近傍に設けられる戸開釦と、
前記戸開釦の機能を第１機能および第２機能の間で切り替える切り替え手段と、
前記切り替え手段により前記戸開釦の機能が前記第１機能に切り替えられた状態で前記戸開釦が操作された場合に前記第１のかごドアを開扉し、前記切り替え手段により前記戸開釦の機能が前記第２機能に切り替えられた状態で前記戸開釦が操作された場合に前記第２のかごドアを開扉する開扉制御手段と
を備えたことを特徴とするエレベータ。
【請求項２】
同一階に第１の乗場と第２の乗場がある各階床に応答する乗りかごに設けられて当該乗りかごの着床時に前記第１の乗場に面する第１のかごドアと、
前記乗りかごに設けられて当該乗りかごの着床時に前記第２の乗場に面する第２のかごドアと、
前記第１のかごドアの近傍に設けられる第１の戸開釦と、
前記第２のかごドアの近傍に設けられる第２の戸開釦と、
前記それぞれの戸開釦の機能を第１機能および第２機能の間で釦ごとに切り替える切り替え手段と、
前記切り替え手段により前記第１の戸開釦の機能が前記第１機能に切り替えられた状態で前記第１の戸開釦が操作された場合に前記第１のかごドアを開扉し、前記切り替え手段により前記第１の戸開釦の機能が前記第２機能に切り替えられた状態で前記第１の戸開釦が操作された場合に前記第２のかごドアを開扉する第１の開扉制御手段と、
前記切り替え手段により前記第２の戸開釦の機能が前記第１機能に切り替えられた状態で前記第２の戸開釦が操作された場合に前記第２のかごドアを開扉し、前記切り替え手段により前記第２の戸開釦の機能が前記第２機能に切り替えられた状態で前記第２の戸開釦が操作された場合に前記第１のかごドアを開扉する第２の開扉制御手段と
を備えたことを特徴とするエレベータ。
【請求項３】
同一階に第１の乗場と第２の乗場がある各階床に応答する乗りかごに設けられて当該乗りかごの着床時に前記第１の乗場に面する第１のかごドアと、
前記乗りかごに設けられて当該乗りかごの着床時に前記第２の乗場に面する第２のかごドアと、
前記第１のかごドアの近傍に設けられる行先階登録釦と、
前記行先階登録釦の機能を第１機能および第２機能の間で切り替える切り替え手段と、
前記切り替え手段により前記行先階登録釦の機能が前記第１機能に切り替えられた状態で前記行先階登録釦が操作された場合で、この操作された行先階登録釦に対応する階床に前記乗りかごが応答した際に前記第１のかごドアを開扉し、前記切り替え手段により前記行先階登録釦の機能が前記第２機能に切り替えられた状態で前記行先階登録釦が操作された場合で、この操作された行先階登録釦に対応する階床に前記乗りかごが応答した際に前記第２のかごドアを開扉する開扉制御手段と
を備えたことを特徴とするエレベータ。
【請求項４】
同一階に第１の乗場と第２の乗場がある各階床に応答する乗りかごに設けられて当該乗りかごの着床時に前記第１の乗場に面する第１のかごドアと、
前記乗りかごに設けられて当該乗りかごの着床時に前記第２の乗場に面する第２のかごドアと、
前記第１のかごドアの近傍に設けられる第１の行先階登録釦と、
前記第２のかごドアの近傍に設けられる第２の行先階登録釦と、
前記第１の行先階登録釦の機能を第１機能および第２機能の間で切り替える第１の切り替え手段と、
前記第２の行先階登録釦の機能を第１機能および第２機能の間で切り替える第２の切り替え手段と、
前記第１の切り替え手段により前記第１の行先階登録釦の機能が前記第１機能に切り替えられた状態で前記第１の行先階登録釦が操作された場合で、この操作された行先階登録釦に対応する階床に前記乗りかごが応答した際に前記第１のかごドアを開扉し、前記第１の切り替え手段により前記第１の行先階登録釦の機能が前記第２機能に切り替えられた状態で前記第１の行先階登録釦が操作された場合で、この操作された行先階登録釦に対応する階床に前記乗りかごが応答した際に前記第２のかごドアを開扉する第１の開扉制御手段と、
前記第２の切り替え手段により前記第２の行先階登録釦の機能が前記第１機能に切り替えられた状態で前記第２の行先階登録釦が操作された場合で、この操作された行先階登録釦に対応する階床に前記乗りかごが応答した際に前記第２のかごドアを開扉し、前記第２の切り替え手段により前記第２の行先階登録釦の機能が前記第２機能に切り替えられた状態で前記第２の行先階登録釦が操作された場合で、この操作された行先階登録釦に対応する階床に前記乗りかごが応答した際に前記第１のかごドアを開扉する第２の開扉制御手段と
を備えたことを特徴とするエレベータ。
【請求項５】
前記開扉制御手段は、
前記第１および第２のかごドアのいずれかの閉扉が完了していない際に前記第１の戸開釦および第２の戸開釦のいずれかが操作された場合には、この操作された戸開釦の機能に関わらず前記閉扉が完了していないかごドアを開扉する
ことを特徴とする請求項２に記載のエレベータ。
【請求項６】
前記戸開釦に開閉式カバーがさらに取り付けられ、
前記切り替え手段は、
前記開閉式カバーが閉じられた場合には当該開閉式カバーが取り付けられる戸開釦の機能を前記第１機能に切り替え、前記開閉式カバーが開かれた場合には当該開閉式カバーが取り付けられる戸開釦の機能を前記第２機能に切り替える
ことを特徴とする請求項１または請求項２に記載のエレベータ。
【請求項７】
前記行先階登録釦に開閉式カバーがさらに取り付けられ、
前記切り替え手段は、
前記開閉式カバーが閉じられた場合には当該開閉式カバーが取り付けられる行先階登録釦の機能を前記第１機能に切り替え、前記開閉式カバーが開かれた場合には当該開閉式カバーが取り付けられる行先階登録釦の機能を前記第２機能に切り替える
ことを特徴とする請求項３または請求項４に記載のエレベータ。
【請求項８】
前記乗りかごの第１のかごドアおよび第２のかごドアは対向することを特徴とする請求項１乃至請求項７のいずれかに記載のエレベータ。
【発明の詳細な説明】
【技術分野】
【０００１】
本発明は、乗りかごが複数のかごドアを有するエレベータに関する。
【背景技術】
【０００２】
従来、エレベータには、例えば特許文献１に開示されるように、正面側かごドアおよび背面側かごドアを有するものがある。このようなエレベータでは、正面側かごドアの近傍に正面側専用のかご操作盤が設けられ、背面側かごドアの近傍に背面側専用のかご操作盤が設けられる。
【０００３】
乗客が正面側専用のかご操作盤の戸開釦を操作した場合には正面側かごドアが開扉し、背面側専用のかご操作盤の戸開釦を操作した場合には背面側かごドアが開扉する。  
また、乗客が正面側専用のかご操作盤の行先階登録釦を操作した場合には、この操作した釦に対応する貫通階、つまり同一階に正面側の乗場と背面側の乗場がある行先階に乗りかごが応答した場合に正面側かごドアが開扉し、乗客が背面側専用のかご操作盤の行先階登録釦を操作した場合には、この操作した釦に対応する行先階に乗りかごが応答した場合に背面側かごドアが開扉する。
【特許文献１】特開２００１−３０２１４４公報
【発明の開示】
【発明が解決しようとする課題】
【０００４】
しかし、乗客が乗りかご内の正面側かごドアの近傍にいる際に反対側の背面側かごドアを開扉させたい場合や、正面側かごドアに近い乗客がかご操作盤の行先階登録釦を操作することで、この釦に対応する貫通階である行先階に乗りかごが応答した際に反対側の背面側かごドアを開扉させたい場合がある。  
この場合には、乗客は乗りかご内における正面側かごドアの近傍から背面側かごドアの近傍まで移動した上で背面側専用のかご操作盤の戸開釦や行先階登録釦を操作する必要があり、不便である。
【０００５】
そこで、本発明の目的は、乗りかごの複数のかごドアのうち任意のかごドアを乗客が乗りかご内を移動すること無しに開扉させることが可能になるエレベータを提供することにある。
【課題を解決するための手段】
【０００６】
すなわち、本発明に係わるエレベータは、同一階に第１の乗場と第２の乗場がある各階床に応答する乗りかごに設けられて当該乗りかごの着床時に第１の乗場に面する第１のかごドアと、乗りかごに設けられて当該乗りかごの着床時に第２の乗場に面する第２のかごドアとを備え、第１のかごドアの近傍に機能を第１機能および第２機能の間で切り替えできる戸開釦を設け、戸開釦の機能が第１機能に切り替えられた状態で戸開釦が操作された場合に第１のかごドアを開扉し、戸開釦の機能が第２機能に切り替えられた状態で戸開釦が操作された場合に第２のかごドアを開扉することを特徴とする。
【発明の効果】
【０００７】
本発明によれば、乗りかごの複数のかごドアのうち任意のかごドアを乗客が乗りかご内を移動すること無しに開扉させることができる。
【発明を実施するための最良の形態】
【０００８】
以下図面により本発明の実施形態について説明する。  
（第１の実施形態）
まず、本発明の第１の実施形態について説明する。  
図１は、本発明の第１の実施形態にしたがったエレベータの乗りかごの外観図である。  
本発明の第１の実施形態にしたがったエレベータでは、乗りかご１の昇降動作をエレベータ制御装置２が制御する。このエレベータは、同一階に第１の乗場と第２の乗場がある各階床に応答するとする。
【０００９】
また、乗りかご１には正面側かごドア３と背面側かごドア４が設けられる。正面側かごドア３と背面側かごドア４は対向する。正面側かごドア３は乗りかご１の着床時に前述した第１の乗場に面し、背面側かごドア４は乗りかご１の着床時に第２の乗場に面する。乗りかご１内の側板のうち正面側かごドア３が設けられる側板には正面側かご操作盤５が設けられ、背面側かごドア４が設けられる側板には背面側かご操作盤６が設けられる。正面側かご操作盤５の設置箇所は正面側かごドア３の近傍であれば特に限定されず、背面側かご操作盤６の設置箇所は背面側かごドア４の近傍であれば特に限定されない。
【００１０】
エレベータ制御装置２は、正面側かご操作盤５および背面側かご操作盤６の各種釦の操作にしたがって乗りかご１の昇降や各種かごドアの開閉制御を行なう。  
乗りかご１の上面には、かご制御装置７が設けられる。このかご制御装置７は図示しないかごドア駆動機構を動作させることで正面側かごドア３や背面側かごドア４を開閉させる。
【００１１】
また、図示はしないが、乗りかご１はシーブに巻き掛けられたロープを介してカウンタウェイトと連結されており、巻上機の駆動によるシーブの回転に伴い、カウンタウェイトとともに互いに上下反対方向に昇降する。
【００１２】
図２は、本発明の第１の実施形態にしたがったエレベータのかご操作盤の外観図である。図３は、本発明の第１の実施形態にしたがったエレベータのかご操作盤の戸開釦の開閉式カバーを開いた状態の外観図である。ここでは正面側かご操作盤５の外観を例にして説明するが、背面側かご操作盤６の外観も同様である。
【００１３】
図２に示すように、正面側かご操作盤５には、かごインジケータ１１、行先階登録釦１２、戸開釦１３および戸閉釦１４が取り付けられる。かごインジケータ１１は乗りかご１の位置を示す階床および昇降方向を表示する。
【００１４】
また、正面側かご操作盤５には開閉式のカバーである機能切替蓋１５が取り付けられる。機能切替蓋１５は閉じた状態で戸開釦１３および戸閉釦１４の周囲を覆う。ただし、機能切替蓋１５には戸開釦１３および戸閉釦１４に対応するサイズの穴が空けられており、機能切替蓋１５を閉じた状態でも戸開釦１３および戸閉釦１４を操作できるようになっている。
【００１５】
この実施形態では、かご内の乗客は、正面側かご操作盤５側にいる場合で正面側かごドア３を開扉したい場合には、正面側かご操作盤５の機能切替蓋１５を閉じた状態で当該正面側かご操作盤５の戸開釦１３を操作する。また、かご内の乗客は、正面側かご操作盤５側にいる場合で反対側の背面側かごドア４を開扉したい場合には、正面側かご操作盤５の機能切替蓋１５を開いた状態で当該正面側かご操作盤５の戸開釦１３を操作する。
【００１６】
また、この実施形態では、かご内の乗客は、背面側かご操作盤６側にいる場合で背面側かごドア４を開扉したい場合には、背面側かご操作盤６の機能切替蓋１５を閉じた状態で背面側かご操作盤６の戸開釦１３を操作する。また、かご内の乗客は、背面側かご操作盤６側にいる場合で反対側の正面側かごドア３を開扉したい場合には、背面側かご操作盤６の機能切替蓋１５を開いた状態で当該背面側かご操作盤６の戸開釦１３を操作する。
【００１７】
図４は、本発明の第１の実施形態にしたがったエレベータのかごドア開閉に関わるシステム構成を示すブロック図である。  
エレベータ制御装置２は、戸開釦信号入出力部２１、機能切替部２２および戸開制御部２３を備える。
【００１８】
正面側かご操作盤５や背面側かご操作盤６の戸開釦１３が操作されると、当該戸開釦の操作を示す戸開釦信号が戸開釦１３から戸開釦信号入出力部２１に出力される。この信号には操作済みの戸開釦１３の設置箇所の情報が含まれる。この設置箇所は正面側かご操作盤５と背面側かご操作盤６の何れかである。戸開釦信号入出力部２１は戸開釦信号を入力すると、これを戸開制御部２３に出力する。
【００１９】
また、正面側かご操作盤５および背面側かご操作盤６の機能切替蓋１５には、この機能切替蓋１５の開閉状態の図示しない検出装置がそれぞれ取り付けられる。この装置は機能切替蓋１５の開閉状態を検出し、この開閉状態を示す開閉信号を機能切替部２２に出力する。この開閉信号で示される開閉状態は「閉」および「開」の何れかである。
【００２０】
機能切替部２２は、正面側かご操作盤５の機能切替蓋１５からの開閉信号を入力すると、この信号で示される開閉状態にもとづいて、正面側かご操作盤５の操作済みの戸開釦１３の機能を示す正面機能信号を戸開制御部２３に出力する。また、機能切替部２２は、背面側かご操作盤６の機能切替蓋１５からの開閉信号を入力すると、この信号で示される開閉状態にもとづいて、背面側かご操作盤６の操作済みの戸開釦１３の機能を示す背面機能信号を戸開制御部２３に出力する。正面機能信号および背面機能信号で示される機能は「第１機能」および「第２機能」の何れかである。
【００２１】
機能切替部２２は、正面側かご操作盤５の機能切替蓋１５からの開閉信号で示される開閉状態が「閉」である場合には、「第１機能」を示す正面機能信号を出力し、当該機能切替蓋１５からの開閉信号で示される開閉状態が「開」である場合には、「第２機能」を示す正面機能信号を出力する。
【００２２】
また、機能切替部２２は、背面側かご操作盤６の機能切替蓋１５からの開閉信号で示される開閉状態が「閉」である場合には、「第１機能」を示す背面機能信号を出力し、当該機能切替蓋１５からの開閉信号で示される開閉状態が「開」である場合には、「第２機能」を示す背面機能信号を出力する。
【００２３】
戸開制御部２３は、戸開釦信号入出力部２１からの戸開釦信号を入力すると、機能切替部２２からの正面機能信号および背面機能信号の何れかをもとに、操作済みの戸開釦１３の機能を認識し、この機能にもとづいて正面側かごドア３および背面側かごドア４のうち開扉させるかごドアを決定し、このドアの開扉制御信号をかご制御装置７に出力する。
【００２４】
エレベータ制御装置２は停止判別部２４と開閉判別部２５をさらに備える。乗りかご１のかご制御装置７は当該乗りかご１の昇降動作が停止した場合に、これを示す制御信号を停止判別部２４に出力する。停止判別部２４は、かご制御装置７からの制御信号を入力した場合に、当該乗りかご１の昇降動作が停止したと判別する。
【００２５】
また、乗りかご１のかご制御装置７は当該乗りかご１の正面側かごドア３および背面側かごドア４が閉扉している最中である場合には、閉扉している最中のドアの種別を示す制御信号を開閉判別部２５に出力する。開閉判別部２５は、かご制御装置７からの制御信号を入力した場合に、この信号で示される種別のかごドアが閉扉している最中であることを判別する。
【００２６】
次に、図１に示した構成のエレベータのかごドア開閉動作について説明する。図５は、本発明の第１の実施形態にしたがったエレベータのかごドア開閉に関わる処理動作の一例を示すフローチャートである。
【００２７】
まず、エレベータ制御装置２の停止判別部２４が、乗りかご１が停止中であると判別した場合（ステップＳ１のＹＥＳ）で、正面側かごドア３および背面側かごドア４が完全に閉扉しておらず（ステップＳ２のＮＯ）、このドアが閉扉している最中であると開閉判別部２５が判別した場合（ステップＳ３のＹＥＳ）で、正面側かご操作盤５の戸開釦１３および背面側かご操作盤６の戸開釦１３の何れかが操作された場合（ステップＳ４のＹＥＳ）には、エレベータ制御装置２は、閉扉している最中のかごドアの開扉を指示するための制御信号をかご制御装置７に出力する。これにより閉扉している最中のかごドアが再び開扉することになる（ステップＳ５）。
【００２８】
一方、正面側かごドア３および背面側かごドア４が完全に閉扉していると開閉判別部２５が判別し（ステップＳ２のＹＥＳ）、正面側かご操作盤５の戸開釦１３および背面側かご操作盤６の戸開釦１３の何れかが操作された場合（ステップＳ６のＹＥＳ）には、この戸開釦１３側からの戸開釦信号を戸開釦信号入出力部２１が入力する。戸開釦信号入出力部２１はこの入力した戸開釦信号を戸開制御部２３に出力する（ステップＳ７）。
【００２９】
戸開制御部２３は、戸開釦信号を入力すると、この信号で示される設置箇所の情報を認識することで、操作済みの戸開釦１３が設けられるかご操作盤が正面側かご操作盤５であるか否か、つまり正面側かご操作盤５か背面側かご操作盤６のいずれであるかを判別する（ステップＳ８）。
【００３０】
戸開制御部２３は、ステップＳ８の処理の結果「ＹＥＳ」と判別した場合、つまり操作済みの戸開釦１３が設けられるかご操作盤が正面側かご操作盤５であると判別した場合には、機能切替部２２からの正面機能信号で示される機能を認識することで正面側かご操作盤５の機能切替蓋１５が開いているか否かを判別する（ステップＳ９）。
【００３１】
戸開制御部２３は、正面機能信号で示される機能が「第１機能」である場合には、正面側かご操作盤５の機能切替蓋１５が閉じている（ステップＳ９のＮＯ）とみなして、開扉させるかごドアを正面側かごドア３に決定し、このかごドアの開扉を指示するための開扉制御信号をかご制御装置７に出力する（ステップＳ１０）。かご制御装置７は、戸開制御部２３からの開扉制御信号を入力すると正面側かごドア３の開扉を制御する（ステップＳ１１）。
【００３２】
また、戸開制御部２３は、ステップＳ８の処理の結果「ＹＥＳ」と判別した後において、機能切替部２２からの正面機能信号で示される機能が「第２機能」である場合には、正面側かご操作盤５の機能切替蓋１５が開いている（ステップＳ９のＹＥＳ）とみなして、開扉させるかごドアを、釦操作を行なった乗客からみて反対側の背面側かごドア４に決定し、このかごドアの開扉を指示するための開扉制御信号をかご制御装置７に出力する（ステップＳ１２）。かご制御装置７は、戸開制御部２３からの開扉制御信号を入力すると背面側かごドア４の開扉を制御する（ステップＳ１３）。
【００３３】
一方、戸開制御部２３は、ステップＳ８の処理の結果「ＮＯ」と判別した場合、つまり操作済みの戸開釦１３が設けられるかご操作盤が背面側かご操作盤６であると判別した場合には、機能切替部２２からの背面機能信号で示される機能を認識することで背面側かご操作盤６の機能切替蓋１５が開いているか否かを判別する（ステップＳ１４）。
【００３４】
戸開制御部２３は、背面機能信号で示される機能が「第１機能」である場合には、背面側かご操作盤６の機能切替蓋１５が閉じている（ステップＳ１４のＮＯ）とみなして、開扉させるかごドアを背面側かごドア４に決定し、このかごドアの開扉を指示するための開扉制御信号をかご制御装置７に出力する（ステップＳ１５）。かご制御装置７は、戸開制御部２３からの開扉制御信号を入力すると背面側かごドア４の開扉を制御する（ステップＳ１６）。
【００３５】
また、戸開制御部２３は、ステップＳ８の処理の結果「ＮＯ」と判別した後における、機能切替部２２からの背面機能信号で示される機能が「第２機能」である場合には、背面側かご操作盤６の機能切替蓋１５が開いている（ステップＳ１４のＹＥＳ）とみなして、開扉させるかごドアを、釦操作を行なった乗客からみて反対側の正面側かごドア３に決定し、このかごドアの開扉を指示するための開扉制御信号をかご制御装置７に出力する（ステップＳ１７）。かご制御装置７は、戸開制御部２３からの開扉制御信号を入力すると正面側かごドア３の開扉を制御する（ステップＳ１８）。
【００３６】
以上のように、本発明の第１の実施形態にしたがったエレベータでは、かご内の乗客は、２つのかごドアが全閉扉している状態で、正面側かご操作盤５および背面側かご操作盤６のうち、自身に近い方のかご操作盤に設けられる機能切替蓋を閉じた状態で当該かご操作盤の戸閉釦を操作すれば、自身に近い方のかごドアが開扉し、前述した機能切替蓋を開いた状態で当該かご操作盤の戸閉釦を操作すれば、自身に近い方と反対側のかごドアが開扉するので、かご内を移動しなくとも、複数のかごドアのうち任意のかごドアを開扉させることができる。
【００３７】
（第２の実施形態）
次に、本発明の第２の実施形態について説明する。なお、本実施形態に係るエレベータの構成は図１に示したものと基本的にほぼ同様であるので同一部分の説明は省略する。  
図６は、本発明の第２の実施形態にしたがったエレベータのかご操作盤の外観図である。図７は、本発明の第２の実施形態にしたがったエレベータのかご操作盤の行先階登録釦の開閉式カバーを開いた状態の外観図である。ここでは正面側かご操作盤５の外観を例にして説明するが、背面側かご操作盤６の外観も同様である。
【００３８】
図６に示すように、本発明の第２の実施形態にしたがったエレベータの正面側かご操作盤５は、第１実施形態で説明した機能切替蓋１５を設ける代わりに開閉式カバーである機能切替蓋３０が取り付けられる。機能切替蓋３０は閉じた状態で行先階登録釦１２の周囲を覆う。ただし、機能切替蓋３０には行先階登録釦１２に対応するサイズの穴が空けられており、機能切替蓋３０を閉じた状態でも行先階登録釦１２を操作できるようになっている。
【００３９】
この実施形態では、かご内の乗客は、正面側かご操作盤５側にいる場合で行先階登録を経て乗りかご１が応答した際に、正面側かごドア３を開扉させたい場合には、正面側かご操作盤５の機能切替蓋３０を閉じた状態で当該正面側かご操作盤５の行先階登録釦１２を操作する。また、かご内の乗客は、正面側かご操作盤５側にいる場合で行先階登録を経て乗りかご１が応答した際に、反対側の背面側かごドア４を開扉させたい場合には、正面側かご操作盤５の機能切替蓋３０を開いた状態で当該正面側かご操作盤５の行先階登録釦１２を操作する。
【００４０】
また、この実施形態では、かご内の乗客は、背面側かご操作盤６側にいる場合で行先階登録を経て乗りかご１が応答した際に、背面側かごドア４を開扉させたい場合には、背面側かご操作盤６の機能切替蓋３０を閉じた状態で当該背面側かご操作盤６の行先階登録釦１２を操作する。また、かご内の乗客は、背面側かご操作盤６側にいる場合で行先階登録を経て乗りかご１が応答した際に反対側の正面側かごドア３を開扉させたい場合には、背面側かご操作盤６の機能切替蓋３０を開いた状態で当該背面側かご操作盤６の行先階登録釦１２を操作する。
【００４１】
図８は、本発明の第２の実施形態にしたがったエレベータの昇降制御に関わるシステム構成を示すブロック図である。  
図８に示すように、本発明の第２の実施形態にしたがったエレベータのエレベータ制御装置２は、行先階登録部３１、機能切替部３２、昇降制御部３３および戸開制御部３４を備える。
【００４２】
正面側かご操作盤５や背面側かご操作盤６の行先階登録釦１２には、この釦の操作の図示しない検出装置が取り付けられる。この装置は行先階登録釦１２が操作されると、この操作された釦に対応する行先階を示す行先階信号を行先階登録部３１に出力する。この行先階信号には前述したように操作された行先階登録釦１２の設置箇所の識別情報が含まれる。この設置箇所は正面側かご操作盤５と背面側かご操作盤６の何れかである。行先階登録部３１は行先階信号を入力すると、この信号で示される行先階を乗りかご１の行先階として登録し、これを示す行先階登録信号を昇降制御部３３および戸開制御部３４にそれぞれ出力する。  
昇降制御部３３は、行先階登録部３１からの行先階登録信号を入力すると、この信号で示される行先階に乗りかご１を昇降させる。
【００４３】
また、正面側かご操作盤５および背面側かご操作盤６の機能切替蓋３０には、この機能切替蓋３０の開閉状態の図示しない検出装置がそれぞれ取り付けられる。この装置は機能切替蓋３０の開閉状態が「閉」および「開」のいずれであるかを示す開閉信号を機能切替部３２に出力する。
【００４４】
機能切替部３２は、正面側かご操作盤５の機能切替蓋３０からの開閉信号を入力すると、この信号で示される開閉状態にもとづいて、正面側かご操作盤５の操作済みの行先階登録釦１２の機能を示す正面機能信号を戸開制御部３４に出力する。また、機能切替部３２は、背面側かご操作盤６の機能切替蓋３０からの開閉信号を入力すると、この信号で示される開閉状態にもとづいて、背面側かご操作盤６の操作済みの行先階登録釦１２の機能を示す背面機能信号を戸開制御部３４に出力する。正面機能信号および背面機能信号で示される機能は「第１機能」および「第２機能」の何れかである。
【００４５】
機能切替部３２は、正面側かご操作盤５の機能切替蓋３０からの開閉信号で示される開閉状態が「閉」である場合には、「第１機能」を示す正面機能信号を出力し、当該機能切替蓋３０からの開閉信号で示される開閉状態が「開」である場合には、「第２機能」を示す正面機能信号を出力する。
【００４６】
また、機能切替部３２は、背面側かご操作盤６の機能切替蓋３０からの開閉信号で示される開閉状態が「閉」である場合には、「第１機能」を示す背面機能信号を出力し、当該機能切替蓋３０からの開閉信号で示される開閉状態が「開」である場合には、「第２機能」を示す背面機能信号を出力する。
【００４７】
戸開制御部３４は、行先階登録部３１からの行先階登録信号を入力すると、この入力したタイミングにおいて機能切替部３２から出力される正面機能信号および背面機能信号の何れかをもとに、前述したように操作された行先階登録釦１２の機能を認識する。
【００４８】
戸開制御部３４は、この認識した機能にもとづいて正面側かごドア３および背面側かごドア４のうち、前述したように操作された行先階登録釦１２に対応する行先階に乗りかご１が着床した場合の開扉対象のかごドアを決定する。戸開制御部３４は、乗りかご１が前述した行先階へ着床した時に開扉対象のかごドアの開扉制御信号をかご制御装置７に出力する。
【００４９】
次に、本発明の第２の実施形態にしたがったエレベータの動作について説明する。図９は、本発明の第２の実施形態にしたがったエレベータの昇降制御に関わる処理動作の一例を示すフローチャートである。
【００５０】
まず、乗りかご１に乗り込んだ乗客が正面側かご操作盤５および背面側かご操作盤６の何れかの行先階登録釦１２を操作すると（ステップＳ２１のＹＥＳ）、エレベータ制御装置２の行先階登録部３１は、この操作された釦に対応する行先階登録を行なう（ステップＳ２２）。
【００５１】
行先階登録部３１は、この登録した行先階を示す信号を昇降制御部３３および戸開制御部３４にそれぞれ出力する。戸開制御部３４に出力される信号には前述したように操作された行先階登録釦１２の設置箇所の情報が含まれる。
【００５２】
また、戸開制御部３４は、行先階登録部３１からの信号を入力すると、この信号で示される設置箇所を認識して、前述したように操作された行先階登録釦１２が設けられるかご操作盤が正面側かご操作盤５であるか否か、つまり正面側かご操作盤５か背面側かご操作盤６のいずれであるかを判別する（ステップＳ２３）。
【００５３】
戸開制御部３４は、ステップＳ２３の処理の結果「ＹＥＳ」と判別した場合、つまり操作された行先階登録釦１２が設けられるかご操作盤が正面側かご操作盤５であると判別した場合には、機能切替部３２からの正面機能信号で示される機能を認識することで、正面側かご操作盤５の機能切替蓋３０が開いているか否かを判別する（ステップＳ２４）。
【００５４】
戸開制御部３４は、正面機能信号で示される機能が「第１機能」である場合には、正面側かご操作盤５の機能切替蓋３０が閉じている（ステップＳ２４のＮＯ）とみなして、前述した行先階に乗りかご１が応答した際に開扉させるかごドアを正面側かごドア３に決定し（ステップＳ２５）、行先階登録部３１からの信号で示される行先階情報と当該行先階への応答時の開扉対象のかごドアの種別を示す開扉ドア情報とを関連付けて内部メモリに記憶する。
【００５５】
昇降制御部３３は、行先階登録部３１からの信号で示される行先階へ乗りかご１を昇降させ（ステップＳ２６）、この行先階に乗りかご１が着床すると、この着床階を示す信号を戸開制御部３４に出力する。
【００５６】
戸開制御部３４は、昇降制御部３３からの信号を入力すると、この信号で示される着床階の情報が前述した内部メモリに記憶される開扉ドア情報で示される行先階の何れかと一致する場合には、この行先階と関連付けられる開扉対象のかごドア、つまり正面側かごドア３の開扉を指示するための開扉制御信号をかご制御装置７に出力する。かご制御装置７は、戸開制御部３４からの開扉制御信号を入力すると、正面側かごドア３の開扉を制御する（ステップＳ２７）。
【００５７】
また、戸開制御部３４は、正面機能信号で示される機能が「第２機能」である場合には、正面側かご操作盤５の機能切替蓋３０が開いている（ステップＳ２４のＹＥＳ）とみなして、前述した行先階に乗りかご１が応答した際に開扉させるかごドアを、釦操作を行なった乗客からみて反対側の背面側かごドア４に決定し（ステップＳ２８）、行先階登録部３１からの信号で示される行先階情報と当該行先階への応答時の開扉対象のかごドアの種別を示す開扉ドア情報とを関連付けて内部メモリに記憶する。
【００５８】
昇降制御部３３は、行先階登録部３１からの信号で示される行先階へ乗りかご１を昇降させ（ステップＳ２９）、この行先階に乗りかご１が着床すると、この着床階を示す信号を戸開制御部３４に出力する。
【００５９】
戸開制御部３４は、昇降制御部３３からの信号を入力すると、この信号で示される着床階の情報が前述した内部メモリに記憶される開扉ドア情報で示される行先階の何れかと一致する場合には、この行先階と関連付けられる開扉対象のかごドア、つまり背面側かごドア４の開扉を指示するための開扉制御信号をかご制御装置７に出力する。かご制御装置７は、戸開制御部３４からの開扉制御信号を入力すると、背面側かごドア４の開扉を制御する（ステップＳ３０）。
【００６０】
一方、戸開制御部３４は、ステップＳ２３の処理の結果「ＮＯ」と判別した場合、つまり操作された行先階登録釦１２が設けられるかご操作盤が背面側かご操作盤６であると判別した場合には、機能切替部３２からの背面機能信号で示される機能を認識することで、背面側かご操作盤６の機能切替蓋３０が開いているか否かを判別する（ステップＳ３１）。
【００６１】
戸開制御部３４は、背面機能信号で示される機能が「第１機能」である場合には、背面側かご操作盤６の機能切替蓋３０が閉じている（ステップＳ３１のＮＯ）とみなして、前述した行先階に乗りかご１が応答した際に開扉させるかごドアを背面側かごドア４に決定し（ステップＳ３２）、行先階登録部３１からの信号で示される行先階情報と当該行先階への応答時の開扉対象のかごドアの種別を示す開扉ドア情報とを関連付けて内部メモリに記憶する。
【００６２】
昇降制御部３３は、行先階登録部３１からの信号で示される行先階へ乗りかご１を昇降させ（ステップＳ３３）、この行先階に乗りかご１が着床すると、この着床階を示す信号を戸開制御部３４に出力する。
【００６３】
戸開制御部３４は、昇降制御部３３からの信号を入力すると、この信号で示される着床階の情報が前述した内部メモリに記憶される開扉ドア情報で示される行先階の何れかと一致する場合には、この行先階と関連付けられる開扉対象のかごドア、つまり背面側かごドア４の開扉を指示するための開扉制御信号をかご制御装置７に出力する。かご制御装置７は、戸開制御部３４からの開扉制御信号を入力すると、背面側かごドア４の開扉を制御する（ステップＳ３４）。
【００６４】
また、戸開制御部３４は、背面機能信号で示される機能が「第２機能」である場合には、背面側かご操作盤６の機能切替蓋３０が開いている（ステップＳ３１のＹＥＳ）とみなして、前述した行先階に乗りかご１が応答した際に開扉させるかごドアを、釦操作を行なった乗客からみて反対側の正面側かごドア３に決定し（ステップＳ３５）、行先階登録部３１からの信号で示される行先階情報と当該行先階への応答時の開扉対象のかごドアの種別を示す開扉ドア情報とを関連付けて内部メモリに記憶する。
【００６５】
昇降制御部３３は、行先階登録部３１からの信号で示される行先階へ乗りかご１を昇降させ（ステップＳ３６）、この行先階に乗りかご１が着床すると、この着床階を示す信号を戸開制御部３４に出力する。
【００６６】
戸開制御部３４は、昇降制御部３３からの信号を入力すると、この信号で示される着床階の情報が前述した内部メモリに記憶される開扉ドア情報で示される行先階の何れかと一致する場合には、この行先階と関連付けられる開扉対象のかごドア、つまり正面側かごドア３のかごドアの開扉を指示するための開扉制御信号をかご制御装置７に出力する。かご制御装置７は、戸開制御部３４からの開扉制御信号を入力すると、正面側かごドア３の開扉を制御する（ステップＳ３７）。
【００６７】
以上のように、本発明の第２の実施形態にしたがったエレベータでは、かご内の乗客は、正面側かご操作盤５および背面側かご操作盤６のうち、自身に近い方のかご操作盤に設けられる機能切替蓋を閉じた状態で当該かご操作盤の行先階登録釦を操作すれば、この行先階に乗りかごが応答した際に自身に近い方のかごドアが開扉し、前述した機能切替蓋を開いた状態で当該かご操作盤の行先階登録釦を操作すれば、この行先階に乗りかごが応答した際に自身に近い方と反対のかごドアが開扉するので、かご内を移動しなくとも、行先階にて自身に近い方またはそれと反対のかごドアのうち、任意のかごドアを開扉させることができる。
【００６８】
以上説明した実施形態では、戸閉釦および行先階登録釦の機能切替について説明したが、これに限らず、機能切替蓋の開閉にしたがって戸閉釦の機能切替を行なってもよい。
【００６９】
また、各実施形態では、戸開釦のみの機能切替および行先階登録釦の機能切替についてそれぞれ説明したが、正面および背面側かご操作盤の戸開釦に１つ目の機能切替蓋を設けた上で、正面および背面側かご操作盤の行先階登録釦の周囲に２つ目の機能切替蓋を設け、１つ目の機能切替蓋の開閉にしたがって戸開釦の機能を切り替え、２つ目の機能切替蓋の開閉にしたがって戸開釦の機能を切り替える構成とすることもできる。
【００７０】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００７１】
【図１】本発明の第１の実施形態にしたがったエレベータの乗りかごの外観図。
【図２】本発明の第１の実施形態にしたがったエレベータのかご操作盤の外観図。
【図３】本発明の第１の実施形態にしたがったエレベータのかご操作盤の戸開釦の開閉式カバーを開いた状態の外観図。
【図４】本発明の第１の実施形態にしたがったエレベータのかごドア開閉に関わるシステム構成を示すブロック図。
【図５】本発明の第１の実施形態にしたがったエレベータのかごドア開閉に関わる処理動作の一例を示すフローチャート。
【図６】本発明の第２の実施形態にしたがったエレベータのかご操作盤の外観図。
【図７】本発明の第２の実施形態にしたがったエレベータのかご操作盤の行先階登録釦の開閉式カバーを開いた状態の外観図。
【図８】本発明の第２の実施形態にしたがったエレベータの昇降制御に関わるシステム構成を示すブロック図。
【図９】本発明の第２の実施形態にしたがったエレベータの昇降制御に関わる処理動作の一例を示すフローチャート。
【符号の説明】
【００７２】
１…乗りかご、２…エレベータ制御装置、３…正面側かごドア、４…背面側かごドア、５…正面側かご操作盤、６…背面側かご操作盤、７…かご制御装置、１１…かごインジケータ、１２…行先階登録釦、１３…戸開釦、１４…戸閉釦、１５，３０…機能切替蓋、２１…戸開釦信号入出力部、２２，３２…機能切替部、２３，３４…戸開制御部、２４…停止判別部、２５…開閉判別部、３１…行先階登録部、３３…昇降制御部。
【図１】
2008037542.tif 000003
【図２】
2008037542.tif 000004
【図３】
2008037542.tif 000005
【図４】
2008037542.tif 000006
【図５】
2008037542.tif 000007
【図６】
2008037542.tif 000008
【図７】
2008037542.tif 000009
【図８】
2008037542.tif 000010
【図９】
2008037542.tif 000011